(57)【要約】      （修正有）【課題】可動部の傾きを抑制可能な光ピックアップを提供する。【解決手段】レンズホルダ２に対物レンズ１とフォーカシングコイル３、４およびトラッキングコイル５１ａ、５１ｂとが取り付けられた可動部と、レンズホルダ２の光ディスクの半径方向に平行な側面に対向して配置されたマグネット１１ａ〜１１ｄと、可動部を支持する支持部材６と、トラッキングコイル５１ａ、５１ｂと支持部材６を電気的に接続するトラッキングコイル中間線５２ａ〜５２ｄとを有する光ピックアップであって、トラッキングコイル５１ａ、５１ｂで生じる力による可動部の重心回りのモーメントに対して、トラッキングコイル中間線で生じる力による可動部の重心回りのモーメントが、打ち消す方向に作用するよう、トラッキングコイルとトラッキングコイル中間線をレンズホルダ２の光ディスクの半径方向に平行な側面に配置する。【選択図】図１
2015060603.tif 000002
【特許請求の範囲】
【請求項１】
光ディスクに光を集光する対物レンズと、レンズホルダに前記対物レンズとフォーカシングコイルおよびトラッキングコイルとが取り付けられて構成される可動部と、前記レンズホルダの前記光ディスクの半径方向に平行な側面に対向して配置されたマグネットと、前記可動部を支持する支持部材と、前記トラッキングコイルと前記支持部材を電気的に接続するトラッキングコイル中間線とを有する光ピックアップであって、
前記トラッキングコイルで生じる力による前記可動部の重心回りのモーメントに対して、前記トラッキングコイル中間線で生じる力による前記可動部の重心回りのモーメントが、打ち消す方向に作用するよう、前記トラッキングコイルとトラッキングコイル中間線を前記レンズホルダの光ディスクの半径方向に平行な側面に配置したことを特徴とする光ピックアップ。
【請求項２】
光ディスクに光を集光する対物レンズと、レンズホルダに前記対物レンズとフォーカシングコイルおよびトラッキングコイルとが取り付けられて構成される可動部と、前記レンズホルダの前記光ディスクの半径方向に平行な側面に対向して配置されたマグネットと、前記可動部を支持する支持部材と、前記トラッキングコイルと前記支持部材を電気的に接続するトラッキングコイル中間線とを有する光ピックアップであって、
前記トラッキングコイルを前記レンズホルダの光ディスクに平行な側面の略中央に配し、前記トラッキングコイル中間線を、前記トラッキングコイルが配された側面の両側に取り付け、
前記マグネットは前記光ディスクの半径方向に２分割され、前記トラッキングコイル及びトラッキングコイル中間線に対向する面の極性は相互に異なり、
前記対物レンズが搭載されるレンズホルダの面を上側としたとき、
前記トラッキングコイル中間線を左側から右側へ且つ前記トラッキングコイルを反時計回りに、または、前記トラッキングコイル中間線を右側から左側へ且つ前記トラッキングコイルを時計回りに巻線することを特徴とする光ピックアップ。
【請求項３】
請求項２に記載の光ピックアップにおいて、
前記反時計回りに巻線されたトラッキングコイルは、前記対物レンズが搭載されるレンズホルダの面を上側としたとき、前記２分割されたマグネットの一方と対向する前記トラッキングコイルの左側の部分は上側から下側へ巻線されると共に、前記２分割されたマグネットの他方と対向する前記トラッキングコイルの右側の部分は下側から上側へと巻線されることを特徴とする光ピックアップ。
【請求項４】
請求項２に記載の光ピックアップにおいて、
前記時計回りに巻線されたトラッキングコイルは、前記対物レンズが搭載されるレンズホルダの面を上側としたとき、前記２分割されたマグネットの一方と対向する前記トラッキングコイルの左側の部分は下側から上側へ巻線されると共に、前記２分割されたマグネットの他方と対向する前記トラッキングコイルの右側の部分は上側から下側へと巻線されることを特徴とする光ピックアップ。
【請求項５】
請求項３または請求項４に記載の光ピックアップにおいて、
前記トラッキングコイル中間線で生じる力による前記可動部の重心回りのモーメントの大きさが、前記トラッキングコイルで生じる力による前記可動部の重心回りのモーメントの大きさの２倍より小さいことを特徴とする光ピックアップ。
【請求項６】
請求項３または請求項４に記載の光ピックアップにおいて、
前記トラッキングコイルで生じる力の作用中心と前記可動部の重心との前記対物レンズの光軸方向の距離ｅ、前記トラッキングコイルの巻数ｎ、前記対物レンズの光軸方向における前記トラッキングコイルの高さ寸法ｈ、前記光ディスクの半径方向における前記トラッキングコイルの幅Ｄ、前記光ディスクの半径方向における前記トラッキングコイルの端部から前記レンズホルダの端部までの距離Ｗとしたとき、Ｗ（Ｄ＋Ｗ）＜４ｎｈｅの関係となるよう前記トラッキングコイル及びトラッキングコイル中間線が配置されることを特徴とする光ピックアップ。
【請求項７】
光ディスクに光を集光する対物レンズと、レンズホルダに前記対物レンズとフォーカシングコイルおよびトラッキングコイルとが取り付けられて構成される可動部と、前記レンズホルダの前記光ディスクの半径方向に平行な側面に対向して配置されたマグネットと、前記可動部を支持する支持部材と、前記トラッキングコイルと前記支持部材を電気的に接続するトラッキングコイル中間線とを有する光ピックアップであって、
前記レンズホルダの光ディスクの半径方向に平行な側面に、前記対物レンズを中心として両側に第１のトラッキングコイル及び第２のトラッキングコイルを配し、
前記トラッキングコイル中間線を、前記第１、第２のトラッキングコイルの間及び第１、第２のトラッキングコイルの外側に取り付け、
前記マグネットは前記光ディスクの半径方向に２分割され、前記第１、第２のトラッキングコイル及びトラッキングコイル中間線に対向する面の極性は相互に異なり、
前記第１、第２のトラッキングコイルで生じる力による前記可動部の重心回りのモーメントに対して、前記トラッキングコイル中間線で生じる力による前記可動部の重心回りのモーメントが、打ち消す方向に作用することを特徴とする光ピックアップ。
【請求項８】
請求項７に記載の光ピックアップにおいて、
前記対物レンズの光軸と平行な前記第１及び第２のトラッキングコイルの巻線部のうち前記レンズホルダの中央側の巻線部は、前記対物レンズの搭載領域と重なり、
前記対物レンズの光軸と平行な前記第１及び第２のトラッキングコイルの巻線部のうち前記レンズホルダの端部側の巻線部と、前記第１及び第２のトラッキングコイルの外側に取り付けられたトラッキングコイル中間線とに対向するよう前記２分割されたマグネットが配置されることを特徴とする光ピックアップ。
【請求項９】
請求項７に記載の光ピックアップにおいて、
前記第１及び第２のトラッキングコイルは、前記対物レンズの搭載領域の外側に配され、
前記対物レンズの光軸と平行な前記第１及び第２のトラッキングコイルの巻線部のうち前記レンズホルダの中央側の巻線部と、前記第１及び第２のトラッキングコイルの間に取り付けられたトラッキングコイル中間線と対向するよう前記２分割されたマグネットが配置されることを特徴とする光ピックアップ。
【請求項１０】
請求項８に記載の光ピックアップにおいて、
前記対物レンズは搭載されるレンズホルダの面を上側としたとき、
前記トラキングコイル中間線を左側から右側へ且つ前記第１、第２のトラッキングコイルを反時計回りに、または、前記トラッキングコイル中間線を右側から左側へ且つ前記第１、第２のトラッキングコイルを時計回りに巻線することを特徴とする光ピックアップ。
【請求項１１】
請求項９に記載の光ピックアップにおいて、
前記対物レンズは搭載されるレンズホルダの面を上側としたとき、
前記トラッキングコイル中間線を左側から右側へ且つ前記第１、第２のトラッキングコイルを時計回りに、または、前記トラッキングコイル中間線を右側から左側へ且つ前記第１、第２のトラッキングコイルを反時計回りに巻線することを特徴とする光ピックアップ。
【発明の詳細な説明】
【技術分野】
【０００１】
本発明は、光ディスクの記録面上に記録された情報を読み出す、または光ディスクに情報を記録する光ディスク装置が備える光ピックアップに関する。
【背景技術】
【０００２】
光ピックアップとして、特開２００７−３０５２４３号公報（特許文献１）がある。この公報には、トラッキングコイルに駆動信号が供給されて、アクチュエータ可動部がトラッキング方向に駆動される際に発生するローリングを打ち消す方向に駆動力を発生するべく、レンズホルダーにローリング打ち消しコイルを装着する構成が記載されている。
【先行技術文献】
【特許文献】
【０００３】
【特許文献１】特開２００７−３０５２４３号公報
【発明の概要】
【発明が解決しようとする課題】
【０００４】
光ピックアップに備えられる対物レンズ駆動部は、レンズホルダに対物レンズとフォーカシングコイルとトラッキングコイルが取り付けられて構成される可動部を、各コイルに電流を印加することにより、対物レンズの光軸方向と光ディスクの半径方向に駆動する機構である。各コイルに電流を印加した際に生じる駆動力の中心と可動部の重心がずれている場合、可動部の重心回りにモーメントが作用し、可動部の傾き（ローリング）が発生する。可動部が傾くと、対物レンズの集光性能が劣化するので、光ディスクへの情報の記録あるいは光ディスクから情報の読み出しが正確に行えないという問題が生じる。
【０００５】
上記特許文献１では、トラッキングコイルで駆動力が発生した際に、可動部の重心回りに生じる傾きを打ち消すために、トラッキングコイルとフォーカシングコイルの他に、新たにローリング打ち消しコイルを備える構成としている。しかし、ローリング打ち消しコイルを追加することにより、コストの増加を招き、また、光ピックアップの可動部の重量が増大する可能性がある。
【０００６】
本発明の目的は、可動部の重量を増大させることなく可動部の傾きを抑制可能な光ピックアップを提供することにある。
【課題を解決するための手段】
【０００７】
上記課題を解決するために本発明は、光ディスクに光を集光する対物レンズと、レンズホルダに前記対物レンズとフォーカシングコイルおよびトラッキングコイルとが取り付けられて構成される可動部と、前記レンズホルダの前記光ディスクの半径方向に平行な側面に対向して配置されたマグネットと、前記可動部を支持する支持部材と、前記トラッキングコイルと前記支持部材を電気的に接続するトラッキングコイル中間線とを有する光ピックアップであって、前記トラッキングコイルで生じる力による前記可動部の重心回りのモーメントに対して、前記トラッキングコイル中間線で生じる力による前記可動部の重心回りのモーメントが、打ち消す方向に作用するよう、前記トラッキングコイルとトラッキングコイル中間線を前記レンズホルダの光ディスクの半径方向に平行な側面に配置したことを特徴とする。
【発明の効果】
【０００８】
本発明によれば、可動部の重量を増大させることなく可動部の傾きを抑制可能な光ピックアップを提供することができる。
【０００９】
上記した以外の課題、構成及び効果は、以下の実施形態の説明により明らかにされる。
【図面の簡単な説明】
【００１０】
【図１】本発明の一実施例に係る光ピックアップを構成する対物レンズ駆動部の分解斜視図である。
【図２】図１に示す対物レンズ駆動部を構成する可動部の斜視図である。
【図３】本発明の一実施例に係る光ピックアップを構成する対物レンズ駆動部の上面図である。
【図４】本発明の一実施例に係る光ピックアップの斜視図である。
【図５】本発明の一実施例に係る可動部のトラッキング方向側面図である。
【図６】図５に示す可動部を反対方向より見た側面図である。
【図７】本発明の一実施例に係るトラッキングコイル及びトラッキングコイル中間線の寸法関係を示す図である。
【図８】本発明の実施例２に係る可動部のトラッキング方向側面図である。
【図９】本発明の実施例３に係る可動部のトラッキング方向側面図である。
【図１０】図９に示す可動部を反対方向より見た側面図である。
【図１１】本発明の実施例４に係る可動部のトラッキング方向側面図である。
【図１２】本発明の実施例４に係る対物レンズ駆動部の上面図である。
【図１３】本発明の実施例５に係る可動部のトラッキング方向側面図である。
【図１４】本発明の実施例５に係る対物レンズ駆動部の上面図である。
【発明を実施するための形態】
【００１１】
以下、本発明の実施例について、図面を用いて説明する。
【実施例１】
【００１２】
図１は本発明の一実施例に係る光ピックアップを構成する対物レンズ駆動部の分解斜視図である。図１において、ｚ方向は対物レンズ１の光軸方向であり、対物レンズ１を図示しない光ディスクの記録面に接近または離遠させるフォーカシング方向である。ｚ方向において、光ディスクに近い側を上、光ディスクから遠い側を下とする。ｙ方向は光ディスクの半径方向であり、対物レンズ１を光ディスクのトラックに対して位置決めするトラッキング方向である。ｘ方向はｙ方向とｚ方向の双方に直交する方向であり、光ディスクの接線方向である。ｘ軸周りの回転方向が光ディスクの半径方向への傾きを示すチルト方向である。
【００１３】
対物レンズ１はレンズホルダ２の上面に搭載される。レンズホルダ２は、対物レンズ１の搭載面とは反対側の面（レンズホルダ２の下部）に、光ディスクの半径方向（ｙ方向、トラッキング方向）における一方の側と対物レンズ１を挟んで他方の側に突出部８ａ、８ｂを有する。また、レンズホルダ２は、光ディスクの半径方向であるトラッキング方向に垂直な２つの側面に、支持部材固定部９ａ、９ｂ、９ｃ、９ｄ、９ｅ、９ｆを有する。
【００１４】
フォーカシングコイルは、第一のフォーカシングコイル３と第二のフォーカシングコイル４から成る。第一のフォーカシングコイル３は、対物レンズ１の光軸と平行な方向（ｚ方向）を巻回中心軸として、レンズホルダ２の一方の側の突出部８ａに巻き付けられる。第二のフォーカシングコイル４は、対物レンズ１の光軸と平行な方向を巻回中心軸として、レンズホルダ２の他方の側の突出部８ｂに巻き付けられる。
【００１５】
トラッキングコイル５１ａは、光ディスクの半径方向であるトラッキング方向に平行なレンズホルダ２の側面の略中央に配置され、トラキングコイル５１ｂは、トラッキング方向に平行なレンズホルダ２の別の側面において、略中央に配置される。すなわち、トラッキングコイル５１a及びトラッキングコイル５１ｂは、トラッキング方向に平行なレンズホルダ２の２つの側面に、対物レンズ１を挟んだ位置に配置されている。
【００１６】
レンズホルダ２に、対物レンズ１、第一のフォーカシングコイル３、第二のフォーカシングコイル４、トラッキングコイル５１ａとトラッキングコイル５１ｂが取り付けられて対物レンズ駆動部を構成する可動部をなしている。可動部は支持部材６により固定部７に対して変位可能に支持される。支持部材６の一端側は、レンズホルダ２に設けられた支持部材固定部９ａ〜９ｆに通されて接着剤等で固定される。支持部材６の他端側は固定部７に接着剤等で固定される。
【００１７】
トラッキングコイル５１ａ、５１ｂは、トラッキングコイル５１ａと支持部材６を接続するトラッキングコイル中間線５２ａと、トラッキングコイル５１ａと５１ｂを接続するトラッキングコイル中間線５２ｂ、５２ｃと、トラッキングコイル５１ｂと支持部材６を接続するトラッキングコイル中間線５２ｄを有する。
【００１８】
光ディスクの半径方向であるトラッキング方向に平行なレンズホルダ２の２つの側面に対向して、それぞれ２個のマグネット１１ａ、１１ｂ、および１１ｃ、１１ｄが配置される。マグネット１１ａ〜１１ｄは磁性体であるヨーク１２に取り付けられ磁気回路を構成している。
【００１９】
図２は、図１に示す対物レンズ駆動部５０を構成する可動部の斜視図である。レンズホルダ２に第一のフォーカシングコイル３と第二のフォーカシングコイル４とトラッキングコイル５１ａ、５１ｂを巻き付け、支持部材６を支持部材固定部９ａ〜９ｆに通した状態を示している。レンズホルダ２は、光ディスクの半径方向であるトラッキング方向に平行な側面であって、図１に示す固定部７に対向する側面とは反対側の側面から、支持部材６の軸方向に突出する絡げ端子２０ａ、２０ｂ、２０ｃ、２０ｄ、２０ｅ、２０ｆを備えている。
【００２０】
第一のフォーカシングコイル３と第二のフォーカシングコイル４の端末は、それぞれ所定の絡げ端子に巻き付けられる。トラッキングコイル５１ａ、５１ｂの端末であるトラッキングコイル中間線５２ａ、５２ｄの端末は、それぞれ所定の絡げ端子に巻き付けられる。図２および後述の図５では、トラッキングコイル中間線５２ａの端末が絡げ端子２０ａに巻き付けられ、トラッキングコイル中間線５２ｄの端末が絡げ端子２０ｂに巻き付けられる構成を示している。図２には示していないが、絡げ端子２０ａ〜２０ｆに巻き付けられた第一のフォーカシングコイル３の端末と第二のフォーカシングコイル４の端末とトラッキングコイル中間線５２ａ、５２ｄの端末は、それぞれ支持部材６の一端と半田等により電気的に接続されている。
【００２１】
図３は、本発明の一実施例に係る光ピックアップを構成する対物レンズ駆動部５０の上面図である。マグネット１１ａ、１１ｃは、光ディスクの半径方向であるトラッキング方向における一方の側(図３において左側)に配置され、マグネット１１ｂ、１１ｄは、トラッキング方向における他方の側(図３において右側)に配置されている。トラッキング方向における一方の側（左側）のマグネット１１ａ、１１ｃと、トラッキング方向における他方の側（右側）のマグネット１１ｂ、１１ｄでは、レンズホルダ２に対向する面の極性が異なる。図３では、マグネット１１ａ、１１ｃの、レンズホルダ２に対向する側の極性がＳ極、ヨーク１２に取り付けられた側の極性がＮ極であり、マグネット１１ｂ、１１ｄの、レンズホルダ２に対向する側の極性がＮ極、ヨーク１２に取り付けられた側の極性がＳ極である。なお、Ｎ極とＳ極の組合せは図３と逆の関係としても良い。
【００２２】
この対物レンズ駆動部５０において、第一のフォーカシングコイル３および第二のフォーカシングコイル４に電流を流すと、マグネット１１ａ〜１１ｄとの電磁作用によりフォーカシング方向の駆動力が発生する。また、トラッキングコイル５１ａ、５１ｂに電流を流すと、マグネット１１ａ〜１１ｄとの電磁作用によりトラッキング方向の駆動力が発生する。また、第一のフォーカシングコイル３と第二のフォーカシングコイル４に供給する電流に差を与えることで、第一のフォーカシングコイル３と第二のフォーカシングコイル４で発生する駆動力に差が生じ、この差によってチルト方向の回転力を得ることができる。図３において、トラッキング方向の駆動力を発生するトラッキングコイル５１ａ、５１ｂの領域は、マグネット１１ａ、１１ｃと対向する辺、すなわち、図３中の左側の辺であり、また、同様にマグネット１１ｂ、１１ｄと対向する辺、すなわち、図３中の右側の辺である。このようにマグネット１１ａ〜１１ｄとの電磁作用を生じるコイルの辺を以下では有効辺と称する。
【００２３】
図４は、本発明の一実施例に係る光ピックアップの斜視図である。図４に示されるように、光ピックアップ１１０に備えられたレーザ発光素子１１１から発せられたレーザ光は、対物レンズ１により、図示しない光ディスクの記録面に集光して反射する。光ディスクの記録面で反射したレーザ光は、対物レンズ１を通過し、光ピックアップ１１０に備えられた光検出器１１２に入射する。光検出器１１２で得られた信号からサーボ信号が検出され、そのサーボ信号に基づいて対物レンズ駆動部５０の第一のフォーカシングコイル３、第二のフォーカシングコイル４、およびトラッキングコイル５１ａ、５１ｂに駆動電流が入力され、対物レンズ１の位置決め制御が行われる。また、光検出器１１２で得られた信号から再生信号が検出され、光ディスク記録面に記録された情報が再生される。
【００２４】
図５は、本発明の一実施例に係る可動部のトラッキング方向側面図である。可動部のトラッキング方向側面のうちトラッキングコイル５１ａが取り付けられた側の側面を示しており、対物レンズ１を上側としてトラッキングコイル５１ａに向かって見た図となっておる。図６は、図５に示す可動部を反対方向より見た側面図であり、トラッキングコイル５１ｂが取り付けられた側の側面を示し、対物レンズ１を上側としてトラッキングコイル５１ｂに向かって見た図である。
【００２５】
図５において、トラッキングコイル中間線５２ａの端末は、絡げ端子２０ａに巻き付けられる。トラッキングコイル中間線５２ａはレンズホルダ２の左側から中央に向かって配線される。トラッキングコイル５１ａはレンズホルダ２の光ディスクの半径方向（トラッキング方向）の中央で、対物レンズ１の光軸に直交する軸(x軸)を中心として巻き付けられる。このとき、トラッキングコイル５１ａは反時計回りに巻線されている。トラッキングコイル中間線５２ｂは、トラッキングコイル５１ａからレンズホルダ２の右側に向かって配線されている。
【００２６】
図６において、トラッキングコイル中間線５２ｂとつながるトラッキングコイル中間線５２ｃは、レンズホルダ２の左側から中央に向かって配線される。トラッキングコイル５１ｂはレンズホルダ２の光ディスクの半径方向（トラッキング方向）の中央で、対物レンズ１の光軸に直交する軸（x軸）を中心として巻き付けられる。このとき、トラッキングコイル５１ｂは反時計回りに巻線される。トラッキングコイル中間線５２ｄは、トラッキングコイル５１ｂからレンズホルダ２の右側に向かって配線され、さらにトラッキングコイル５１ａが取り付けられた側のレンズホルダ２の側面に向かって配線され、絡げ端子２０ｂに巻き付けられる。
【００２７】
すなわち、トラッキングコイルは連続して次のように引き回されている。先ず、絡め端子２０aに端末を巻き付けたトラッキング中間線５２を図５に示すようにレンズホルダ２の中央へ向かうよう右側へ配線する。そして、レンズホルダ２の中央部で反時計回りに所定の回数（ｎ回）巻回しトラッキグコイル５１ａを形成し、その後レンズホルダ２の右側へ配線する(トラッキングコイル中間線５２ｂ)。更に、図６に示すように、レンズホルダ２の反対側の側面へ引き回し、トラッキングコイル中間線５２ｃとしてレンズホルダ２の中央へ向かうよう右側へ配線する。その後、レンズホルダ２の中央部で反時計回りに所定の回数（ｎ回）巻回しトラッキングコイル５１ｂを形成し、レンズホルダ２の右側へ配線する（トラッキングコイル中間線５２ｄ）。その後、トラッキングコイル中間線５２ｄを図５に示す絡め端子２０ｂへ引き回し巻き付けることで、トラッキングコイルの引き回しは完了する。
【００２８】
図５、図６において、トラッキングコイル中間線５２ａ、５２ｂ、５２ｃ、５２ｄの配線方向と、トラッキングコイル５１ａ、５１ｂの巻線方向を破線の矢印で示す。図５、図６のいずれにおいても、トラッキングコイル中間線がレンズホルダ２の左側から右側に配線され、トラッキングコイルが反時計回りに巻線されている。
トラッキング方向の駆動力は、図３に示すマグネット１１ａ〜１１ｄに対向しているトラッキングコイル５１ａ、５１ｂの縦方向の辺（有効辺）において発生する。ここでトラッキングコイル５１ａ、５１ｂが反時計回りに巻線されることから、図５および図６において、トラッキングコイル５１ａ、５１ｂの左側の部分（有効辺）では巻線方向は上側から下側に向いており、トラッキングコイル５１ａ、５１ｂの右側の部分（有効辺）では巻線方向は下側から上側に向いている。
【００２９】
このようなトラッキングコイル５１ａ、５１ｂとトラッキングコイル中間線５２ａ〜５２ｄの構成において巻線方向として示した破線矢印の向きに電流を流し、図３に示すマグネット１１ａ〜１１ｄの極性の場合、図５および図６に実線で示した矢印の向きに力が発生する。
【００３０】
図５においては、トラッキングコイル５１ａでトラッキング方向の駆動力７０が左向きに発生し、トラッキングコイル中間線５２ａで対物レンズ１の光軸方向下向きの力８０ａが発生し、トラッキングコイル中間線５２ｂで対物レンズ１の光軸方向上向きの力８０ｂが発生する。
【００３１】
図６においては、トラッキングコイル５１ｂでトラッキング方向の駆動力７０が右向きに発生し、トラッキングコイル中間線５２ｃで対物レンズ１の光軸方向上向きの力８０ｃが発生し、トラッキングコイル中間線５２ｄで対物レンズ１の光軸方向下向きの力８０ｄが発生する。
【００３２】
対物レンズ１がレンズホルダ２の上面に取り付けられることにより、一般的に可動部の重心６０はトラッキング方向の駆動力７０の作用位置よりも上側、すなわち対物レンズ１に近い側に位置する。
【００３３】
したがって、図５においては、トラッキングコイル５１ａで生じるトラッキング方向の駆動力７０により可動部の重心６０回りにモーメント７１ａが時計回りに発生し、トラッキングコイル中間線５２ａ、５２ｂで生じる対物レンズ１の光軸方向の力８０ａ、８０ｂにより可動部の重心６０回りにモーメント８１ａが反時計回りに発生する。図６においては、トラッキングコイル５１ｂで生じるトラッキング方向の駆動力７０により可動部の重心６０回りにモーメント７１ｂが反時計回りに発生し、トラッキングコイル中間線５２ｃ、５２ｄで生じる対物レンズ１の光軸方向の力８０ｃ、８０ｄにより可動部の重心６０回りにモーメント８１ｂが時計回りに発生する。
【００３４】
このように本実施例によれば、トラッキングコイルで生じる力による可動部の重心回りのモーメントに対して、トラッキングコイル中間線で生じる力による可動部の重心回りのモーメントが打ち消す方向に作用するので、可動部の傾きを低減することができる。
なお、トラッキングコイル中間線５２ａの端末が巻き付けられる絡げ端子は２０ａに限らず、図５においてレンズホルダ２の左側に位置する２０ａ、２０ｂ、２０ｃのいずれかであれば良い。トラッキングコイル中間線５２ｄの端末が巻き付けられる絡げ端子は２０ｂに限らず、図５においてレンズホルダ２の左側に位置する２０ａ、２０ｂ、２０ｃのうち、トラッキングコイル中間線５２ａの端末が巻き付けられた絡げ端子以外であれば良い。
【００３５】
図７は、本発明の一実施例に係るトラッキングコイル及びトラッキングコイル中間線の寸法関係を示す図であり、本実施例におけるトラッキングコイル５１ａとトラッキングコイル中間線５２ａ、５２ｂの寸法関係を示している。なお、トラッキングコイル５１ｂが取り付けられた側でも同様である。
【００３６】
図７において、トラッキングコイル５１ａで生じるトラッキング方向の駆動力７０の作用中心と可動部の重心６０との対物レンズ１の光軸方向の距離をｅ、トラッキングコイル５１ａの巻数をｎ、対物レンズ１の光軸方向におけるトラッキングコイル５１ａの高さ寸法をｈ、光ディスクの半径方向であるトラッキング方向におけるトラッキングコイル５１ａの幅をＤ、光ディスクの半径方向におけるトラッキングコイル５１ａの端からレンズホルダ２の端までの距離をＷ、トラッキングコイル中間線５２ａ、５２ｂで生じる対物レンズ１の光軸方向の力８０ａ、８０ｂの作用位置と可動部の重心６０との光ディスクの半径方向の距離をＡ、トラッキングコイル５１ａとトラッキングコイル中間線５２ａ、５２ｂに作用する磁束密度をＢ、電流をｉとする。
【００３７】
トラッキングコイル５１ａで生じるトラッキング方向の駆動力７０のそれぞれの大きさＦＴは、
ＦＴ＝ｉＢｎｈ
と表される。
【００３８】
トラッキングコイル５１ａで生じるトラッキング方向の駆動力７０による可動部の重心６０回りのモーメント７１ａの大きさＭＴは、
ＭＴ＝２ｉＢｎｈｅ
と表される。係数の２は、トラッキング方向の駆動力７０がトラッキングコイル５１ａの左側と右側の２箇所で発生することを示している。
【００３９】
トラッキングコイル中間線５２ａまたは５２ｂで生じる対物レンズ１の光軸方向の力８０ａまたは８０ｂのそれぞれの大きさＦＴＣは、
ＦＴＣ＝ｉＢＷ
と表される。
【００４０】
トラッキングコイル中間線５２ａおよび５２ｂで生じる対物レンズ１の光軸方向の力８０ａおよび８０ｂによる可動部の重心６０回りのモーメント８１ａの大きさＭＴＣは、
ＭＴＣ＝２ｉＢＷＡ
と表される。係数の２は、トラッキングコイル中間線５２ａ、５２ｂで生じる対物レンズ１の光軸方向の力８０ａ、８０ｂが２箇所で発生することを示している。
【００４１】
ここで、トラッキングコイル中間線５２ａ、５２ｂで生じる対物レンズ１の光軸方向の力８０ａ、８０ｂの作用位置が、トラッキングコイル中間線５２ａ、５２ｂそれぞれの中心とすると、
Ａ＝（Ｄ＋Ｗ）／２
と表される。したがって、
ＭＴＣ＝ｉＢＷ（Ｄ＋Ｗ）
と表される。
【００４２】
本実施例においては、トラッキングコイル５１ａで生じるトラッキング方向の駆動力７０による可動部の重心６０回りのモーメント７１ａの方向と、トラッキングコイル中間線５２ａおよび５２ｂで生じる対物レンズ１の光軸方向の力８０ａおよび８０ｂによる可動部の重心６０回りのモーメント８１ａの方向は、逆方向である。この場合において、ＭＴとＭＴＣの大きさが等しければ、可動部の重心６０回りのモーメントは打ち消され、可動部の傾きは発生しない。その条件は、ＭＴ＝ＭＴＣから、
２ｎｈｅ＝Ｗ（Ｄ＋Ｗ）
である。
【００４３】
また、ＭＴＣが、ＭＴの２倍よりも小さければ、可動部の重心６０回りのモーメントを元のＭＴよりも小さくすることができる。その条件は、ＭＴＣ＜２ＭＴから、
Ｗ（Ｄ＋Ｗ）＜４ｎｈｅ
である。
【００４４】
例えばｅ＝0.1ｍｍ、ｎ＝40、ｈ＝3.0ｍｍ、Ｄ＝2.0ｍｍ、Ｗ＝4.0ｍｍの場合、
ＭＴ＝ＭＴＣ
となり、可動部の重心６０回りのモーメントは打ち消される。
【００４５】
また、ｎ、ｈ、Ｄ、Ｗが上記の値の場合、ｅ＝0.2ｍｍまではＭＴＣ＜２ＭＴの条件を満たす。この範囲であれば、トラッキングコイル中間線５２ａおよび５２ｂで生じる対物レンズ１の光軸方向の力８０ａおよび８０ｂによる可動部の重心６０回りのモーメント８１ａにより、トラッキングコイル５１ａで生じるトラッキング方向の駆動力７０による可動部の重心６０回りのモーメント７１ａの大きさを低減することができる。
【００４６】
以上、本実施例によれば、トラッキングコイルで生じる力による可動部の重心回りのモーメントを、トラッキングコイル中間線で生じる力による可動部の重心回りのモーメントで低減することができる。本実施例によれば、特許文献１に示されるようなローリング打ち消しコイルを備える必要が無いので、可動部の傾きの小さい光ピックアップを低コストで実現できる。また、ローリング打消しコイルを必要としないため光ピックアップの可動部の軽量化が図られ、特に、トラッキング方向の位置決めの際、振動を抑制でき高精度な位置決めが可能となる。
【実施例２】
【００４７】
図８は、本発明の実施例２に係る可動部のトラッキング方向側面図である。実施例１と同様の構成要素には同一の符号を付している。本実施例は、トラッキングコイル中間線５２ａ、５２ｂがレンズホルダ２の右側から左側に配線され、トラッキングコイル５１ａが時計回りに巻線される構成であり、その他の構成は実施例１と同様である。
【００４８】
図８は、トラッキングコイル５１ａが取り付けられた側の可動部の側面図であり、対物レンズ１を上側として、トラッキングコイル５１ａに向かって見た図である。なお、トラッキングコイル５１ｂが取り付けられた側でも同様に、トラッキングコイル中間線５２ｃ、５２ｄがレンズホルダ２の右側から左側に配線され、トラッキングコイル５１ｂが時計回りに巻線される。トラッキングコイル５１ｂが取り付けられた側も同様なので、ここではトラッキングコイル５１ａが取り付けられた側の図８を用いて説明する。
【００４９】
図８において、トラッキングコイル中間線５２ｂの端末は、絡げ端子２０ｄに巻き付けられる。トラッキングコイル中間線５２ｂはレンズホルダ２の右側から中央に向かって配線される。トラッキングコイル５１ａはレンズホルダ２の光ディスクの半径方向であるトラッキング方向の中央で、対物レンズ１の光軸に直交する軸(x軸)を中心として巻き付けられる。このとき、トラッキングコイル５１ａは時計回りに巻線されている。トラッキングコイル中間線５２ａは、トラッキングコイル５１ａからレンズホルダ２の左側に向かって巻線されている。
【００５０】
トラッキングコイル中間線５２ａ、５２ｂの配線方向と、トラッキングコイル５１ａの巻線方向を破線の矢印で示す。トラッキングコイル中間線５２ａ、５２ｂの配線方向はレンズホルダ２の右側から左側に向いている。トラッキングコイル５１ａの左側の部分、すなわち図３に示されるマグネット１１ａに対向する部分（有効辺）では巻線方向は下側から上側に向いており、トラッキングコイル５１ｂの右側の部分、すなわち図３に示されるマグネット１１ｂに対応する部分（有効辺）では巻線方向は上側から下側に向いている。ここで、マグネットの構成は図３と同じ場合を想定している。
【００５１】
図８において、巻線方向として示した破線矢印の向きに電流を流すと、実線で示した矢印の向きに力が発生する。トラッキングコイル５１ａでトラッキング方向の駆動力７０が右向きに発生し、トラッキングコイル中間線５２ａで対物レンズ１の光軸方向上向きの力８０ａが発生し、トラッキングコイル中間線５２ｂで対物レンズ１の光軸方向下向きの力８０ｂが発生する。トラッキングコイル５１ａで生じるトラッキング方向の駆動力７０により可動部の重心６０回りにモーメント７１ａが反時計回りに発生し、トラッキングコイル中間線５２ａ、５２ｂで生じる対物レンズ１の光軸方向の力８０ａ、８０ｂにより可動部の重心６０回りにモーメント８１ａが時計回りに発生する。
【００５２】
これにより、トラッキングコイル５１ａで生じる力７０による可動部の重心６０回りのモーメント７１ａに対して、トラッキングコイル中間線５２ａ、５２ｂで生じる力８０ａ、８０ｂによる可動部の重心６０回りのモーメント８１ａが打ち消す方向に作用するので、可動部の傾きを低減することができる。
【００５３】
本実施例によれば、実施例１と同様に、トラッキングコイルで生じる力による可動部の重心回りのモーメントを、トラッキングコイル中間線で生じる力による可動部の重心回りのモーメントで低減する効果を有する。また、特許文献１に示されるようなローリング打ち消しコイルを備える必要が無いので、可動部の傾きの小さい光ピックアップを低コストで実現できる。また、ローリング打消しコイルを必要としないため光ピックアップの可動部の軽量化が図られ、特に、トラッキング方向の位置決めの際、振動を抑制でき高精度な位置決めが可能となる。
【実施例３】
【００５４】
図９は本発明の実施例３に係る可動部のトラッキング方向側面図であり、図１０は図９に示す可動部を反対側より見た側面図である。実施例１と同様の構成要素には同一の符号を付している。本実施例は、トラッキングコイル中間線５２ｄの配線が実施例１と異なり、その他の構成は実施例１と同様である。
【００５５】
図９では対物レンズ１を上側として、トラッキングコイル５１ａに向かって見た図が示されており、図１０では対物レンズ１を上側として、トラッキングコイル５１ｂに向かって見た図が示されている。図９に示すトラッキングコイル５１ａとトラッキングコイル中間線５２ａ、５２ｂの構成は実施例１と同様であるためここでは説明を省略する。図１０において、トラッキングコイル中間線５２ｃとトラッキングコイル５１ｂの構成は実施例１と同様であり、トラッキングコイル中間線５２ｄは、トラッキングコイル５１ｂからレンズホルダ２の左側に向かって配線され、トラッキングコイル中間線５２ｄの端末は、図９に示す絡げ端子２０ｄに巻き付けられている。
【００５６】
図９、図１０において、トラッキングコイル中間線５２ａ、５２ｂ、５２ｃ、５２ｄの配線方向と、トラッキングコイル５１ａ、５１ｂの巻線方向を破線の矢印で示す。マグネットの構成を図３と同じ場合を想定し、図９、図１０に実線で示した矢印の向きに力が発生する。
【００５７】
図９に示すトラッキングコイル５１ａ側では、実施例１と同様、トラッキングコイル５１ａで生じるトラッキング方向の駆動力７０による可動部の重心６０回りのモーメント７１ａに対して、トラッキングコイル中間線５２ａ、５２ｂで生じる対物レンズ１の光軸方向の力８０ａ、８０ｂによる可動部の重心６０回りのモーメント８１ａが打ち消す方向に作用する。
【００５８】
図１０に示すトラッキングコイル５１ｂ側では、トラッキングコイル５１ｂでトラッキング方向の駆動力７０が右向きに発生し、トラッキングコイル中間線５２ｃで対物レンズ１の光軸方向上向きの力８０ｃが発生し、トラッキングコイル中間線５２ｄで対物レンズ１の光軸方向下向きの力８０ｄが発生する。トラッキングコイル５１ｂで生じるトラッキング方向の駆動力７０により可動部の重心６０回りにモーメント７１ｂが反時計回りに発生する。トラッキングコイル中間線５２ｃで発生する力８０ｃとトラッキングコイル中間線５２ｄで発生する力８０ｄは、相互に逆方向に発生し打ち消し合う。したがって、トラッキングコイル中間線５２ｃ、５２ｄで発生する力８０ｃ、８０ｄによる可動部の重心６０回りのモーメントは発生しない。
【００５９】
このため、本実施例においては、トラッキングコイルで生じる力による可動部の重心回りのモーメントを、トラッキングコイル中間線で生じる力による可動部の重心回りのモーメントで低減する効果は、実施例１よりも減少する。
【００６０】
しかし、本実施例では、図９に示すように、トラッキングコイル中間線５２ａの端末をレンズホルダ２の左側の絡げ端子２０ａに巻き付け、トラッキングコイル中間線５２ｄの端末をレンズホルダ２の右側の絡げ端子２０ｄに巻き付けるので、第一のフォーカシングコイル３の２つの端末をレンズホルダ２の左側の絡げ端子２０ｂ、２０ｃに巻き付け、第二のフォーカシングコイル４の２つの端末をレンズホルダ２の右側の絡げ端子２０ｅ、２０ｆに巻き付けることができる。したがって、第一のフォーカシングコイル３の端末と第二のフォーカシングコイル４の端末の配線が容易になるという効果がある。
【実施例４】
【００６１】
図１１は本発明の実施例４に係る可動部のトラッキング方向側面図であり、図１２は本発明の実施例４に係る対物レンズ駆動部の上面図である。実施例１と同様の構成性要素には同一の符号を付している。本実施例では、トラッキングコイルとマグネットの構成が実施例１と異なる。その他の構成は実施例１と同様である。
【００６２】
図１１は、絡げ端子２０ａ〜２０ｆが設けられた側の可動部の側面図、すなわち、レンズホルダ２のトラッキング方向に平行な側面であって図１に示す固定部７に対向する側面とは反対側の側面図であり、対物レンズ１を上側として、レンズホルダ２の側面に向かって見た図である。本実施例では、レンズホルダ２の光ディスクの半径方向（トラッキング方向）に平行な側面に、２つのトラッキングコイル１５１ａ、１５１ｂが配置される。
トラッキングコイル中間線１５２ａの端末は、絡げ端子２０ａに巻き付けられる。トラッキングコイル中間線１５２ａはレンズホルダ２の左側から中央に向かって配線される。トラッキングコイル１５１ａは、レンズホルダ２の光ディスクの半径方向（トラッキング方向）において対物レンズ１の中心よりも左側に配置される。このとき、トラッキングコイル１５１ａは反時計回りに巻線される。トラッキングコイル中間線１５２ｂは、トラッキングコイル１５１ａからレンズホルダ２の右側に向かって配線される。トラッキングコイル１５１ｂは、レンズホルダ２の光ディスクの半径方向（トラッキング方向）において対物レンズ１の中心よりも右側に配置される。このとき、トラッキングコイル１５１ｂは反時計回りに巻線される。トラッキングコイル中間線１５２ｃは、トラッキングコイル１５１ｂからレンズホルダ２の右側に向かって配線される。図１１に示されるように、トランキングコイル１５１ａ、１５１ｂは、その一部が対物レンズ１の載置領域に重なり、対物レンズ１の光軸に対し線対称に配置されている。
【００６３】
図１１において、トラッキングコイル中間線１５２ａ、１５２ｂ、１５２ｃの配線方向と、トラッキングコイル１５１ａ、１５１ｂの巻線方向を破線の矢印で示す。トラッキングコイル中間線１５２ａ、１５２ｂ、１５２ｃはレンズホルダ２の左側から右側に配線され、トラッキングコイル１５１ａ、１５１ｂは反時計回りに巻線される。
【００６４】
図１２は、本実施例の対物レンズ駆動部５０の主要部を示す上面図であり、マグネット１２１ａ〜１２１ｄの構成を示している。マグネット１２１ａ〜１２１ｄはそれぞれ、トラッキングコイル１５１ａ〜１５１ｄの光ディスクの半径方向（トラッキング方向）における対物レンズ１から遠い部分に対向して配置される。すなわち、マグネット１２１ａ〜１２１ｄは、対物レンズ１の載置領域とは重ならない領域でトラッキングコイル１５１ａ〜１５１ｄに対向して配置される。図１２において左側に配置されるマグネット１２１ａ、１２１ｃと右側に配置されるマグネット１２１ｂ、１２１ｄでは、レンズホルダ２に面する極性が異なる。図１２では、マグネット１２１ａ、１２１ｃの、レンズホルダ２に面した側の極性がＳ極、ヨーク１２に取り付けられた側の極性がＮ極であり、マグネット１２１ｂ、１２１ｄの、レンズホルダ２に面した側の極性がＮ極、ヨーク１２に取り付けられた側の極性がＳ極である。
【００６５】
図１１では、光ディスクの半径方向（トラッキング方向）において対物レンズ１の中心よりも左側に配置されたトラッキングコイル１５１ａの、マグネット１２１ａに対向している部分（有効辺）の巻線方向は上側から下側に向いており、光ディスクの半径方向（トラッキング方向）において対物レンズ１の中心よりも右側に配置されたトラッキングコイル１５１ｂの、マグネット１２１ｂに対向している部分（有効辺）の巻線方向は下側から上側に向いている。この向きは実施例１と同様である。
【００６６】
このようなトラッキングコイル１５１ａ、１５１ｂとトラッキングコイル中間線１５２ａ〜１５２ｃの構成において破線矢印に示す方向に電流を流し、図１２に示すマグネット１２１ａ〜１２１ｄの極性の場合、図１１に実線で示した矢印の向きに力が発生する。
【００６７】
トラッキングコイル１５１ａ、１５１ｂでトラッキング方向の駆動力１７０が左向きに発生し、トラッキングコイル中間線１５２ａで対物レンズ１の光軸方向下向きの力１８０ａが発生し、トラッキングコイル中間線１５２ｃで対物レンズ１の光軸方向上向きの力１８０ｂが発生する。
【００６８】
トラッキングコイル１５１ａ、１５１ｂで生じるトラッキング方向の駆動力１７０により可動部の重心６０回りにモーメント１７１ａが時計回りに発生し、トラッキングコイル中間線１５２ａ、１５２ｃで生じる対物レンズ１の光軸方向の力１８０ａ、１８０ｂにより可動部の重心６０回りにモーメント１８１ａが反時計回りに発生する。
【００６９】
したがって、トラッキングコイル１５１ａ、１５１ｂで生じるトラッキング方向の駆動力１７０による可動部の重心６０回りのモーメント１７１ａに対して、トラッキングコイル中間線１５２ａ、１５２ｃで生じる対物レンズ１の光軸方向の力１８０ａ、１８０ｂによる可動部の重心６０回りのモーメント１８１ａが打ち消す方向に作用する。なお、トラッキングコイル１５１ｃ、１５１ｄが取り付けられる側においても同様である。
【００７０】
また、トラッキングコイル中間線１５２ａ〜１５２ｃがレンズホルダ２の右側から左側に配線され、トラッキングコイル１５１ａ、１５１ｂが時計回りに巻線される場合、すなわち、図１１とは逆方向に配線及び巻線する場合も、実施例２と同様にトラッキングコイルで生じる力による可動部の重心回りのモーメントを、トラッキングコイル中間線で生じる力による可動部の重心回りのモーメントで低減することができる。
【００７１】
本実施例によれば、図１２に示されるように、マグネット１２１ａのサイズは、コイルの有効辺であるトラッキングコイル１５１ａの左側の辺及びトラキングコイル中間線１５２ａと対向可能な大きさであれば良く、同様に、マグネット１２１ｂのサイズは、コイルの有効辺であるトラッキングコイル１５１ｂの右側の辺及びトラッキングコイル中間線１５２ｃと対向可能な大きさであれば良いため、マグネット１２１ａ〜１２１ｄの寸法を小さくでき、マグネット１２１ａ〜１２１ｄのコストを低減できるという効果がある。
【００７２】
また、マグネットとヨークから構成される磁気回路及び対物レンズの可動部の総重量に対し、マグネットの重量は５０％を占める。本実施例によれば、実施例１から実施例３において説明した図３に示すマグネット１１ａ〜１１ｄの容量に対し約１／２まで低減できることから、可動部及び磁気回路の総重量を約１／４低減可能となる。これにより位置決めの際の振動を更に抑制することが可能となる。
【実施例５】
【００７３】
図１３は本発明の実施例５に係る可動部のトラッキング方向側面図であり、図１４は本発明の実施例５に係る対物レンズ駆動部の上面図である。実施例１と同様の構成要素に同一の符号を付している。本実施例では、トラッキングコイルとマグネットの構成が実施例１と異なる。その他の構成は実施例１と同じである。
【００７４】
図１３は、絡げ端子２０ａ〜２０ｆが設けられた側の可動部の側面図、すなわち、レンズホルダ２のトラッキング方向に平行な側面であって図１に示す固定部７に対向する側面とは反対側の側面図であり、対物レンズ１を上側として、レンズホルダ２の側面に向かって見た図である。本実施例では、レンズホルダ２の光ディスクの半径方向（トラッキング方向）に平行な側面に、２つのトラッキングコイル２５１ａ、２５１ｂが配置される。
【００７５】
トラッキングコイル中間線２５２ａの端末は、絡げ端子２０ａに巻き付けられる。トラッキングコイル中間線２５２ａはレンズホルダ２の左側から中央に向かって配線される。トラッキングコイル２５１ａは、レンズホルダ２の光ディスクの半径方向（トラッキング方向）において対物レンズ１の中心よりも左側に配置される。このとき、トラッキングコイル２５１ａは時計回りに巻線される。トラッキングコイル中間線２５２ｂは、トラッキングコイル２５１ａからレンズホルダ２の右側に向かって配線される。トラッキングコイル２５１ｂは、レンズホルダ２の光ディスクの半径方向（トラッキング方向）において対物レンズ１の中心よりも右側に配置される。このとき、トラッキングコイル２５１ｂは時計回りに巻線される。トラッキングコイル中間線２５２ｃは、トラッキングコイル２５１ｂからレンズホルダ２の右側に向かって配線される。図１３に示されるように、トラッキングコイル２５１ａ、２５１ｂは対物レンズ１の載置領域と重ならない領域に配置されている。この配置位置が実施例４と異なり、更に、トラッキングコイル２５１ａ、２５１ｂの巻線方向も実施例４と逆の関係にある。
【００７６】
図１４は、本実施例の対物レンズ駆動部５０の主要部を示す上面図であり、マグネット２２１ａ〜２２１ｄの構成を示している。マグネット２２１ａ〜２２１ｄはそれぞれ、トラッキングコイル２５１ａ〜２５１ｄの光ディスクの半径方向（トラッキング方向）における対物レンズ１に近い部分に対向して配置される。すなわち、マグネット１２１ａ〜１２１ｄはその一部が対物レンズ１の載置領域と重なるよう配置され、トラッキングコイル２５１ａ〜２５１ｄに対向するよう配置されている。図１４において左側に配置されるマグネット２２１ａ、２２１ｃと右側に配置されるマグネット２２１ｂ、２２１ｄでは、レンズホルダ２に面する極性が異なる。図１４では、マグネット２２１ａ、２２１ｃの、レンズホルダ２に面した側の極性がＳ極、ヨーク１２に取り付けられた側の極性がＮ極であり、光ディスクの半径方向における他方の側のマグネット２２１ｂ、２２１ｄの、レンズホルダ２に面した側の極性がＮ極、ヨーク１２に取り付けられた側の極性がＳ極である。
図１３において、トラッキングコイル中間線２５２ｂの配線方向と、トラッキングコイル２５１ａ、２５１ｂの巻線方向を破線の矢印で示す。トラッキングコイル中間線２５２ｂはレンズホルダ２の左側から右側に配線される。光ディスクの半径方向（トラッキング方向）において対物レンズ１の中心よりも左側に配置されたトラッキングコイル２５１ａの、マグネット２２１ａに対向している部分（有効辺）の巻線方向は上側から下側に向いており、光ディスクの半径方向（トラッキング方向）において対物レンズ１の中心よりも右側に配置されたトラッキングコイル２５１ｂの、マグネット２２１ｂに対向している部分（有効辺）の巻線方向は下側から上側に向いている。
トラッキングコイルの巻線方向を時計回りか反時計回りかで判別した場合は、本実施例は実施例１と異なる。しかし、トラッキングコイルのマグネットに対向している部分の巻線方向として見た場合は、本実施例は実施例１と同様となっている。したがって、図１３に実線で示した矢印の向きに力が発生する。
【００７７】
トラッキングコイル２５１ａ、２５１ｂでトラッキング方向の駆動力２７０が左向きに発生し、トラッキングコイル中間線２５２ｂのうち対物レンズ１の中心より左側の部分（有効辺）で対物レンズ１の光軸方向下向きの力２８０ａが発生し、トラッキングコイル中間線２５２ｂのうち対物レンズ１の右側の部分（有効辺）で対物レンズ１の光軸方向上向きの力２８０ｂが発生する。
【００７８】
トラッキングコイル２５１ａ、２５１ｂで生じるトラッキング方向の駆動力２７０により可動部の重心６０回りにモーメント２７１ａが時計回りに発生し、トラッキングコイル中間線２５２ｂで生じる対物レンズ１の光軸方向の力２８０ａ、２８０ｂにより可動部の重心６０回りにモーメント２８１ａが反時計回りに発生する。
【００７９】
したがって、トラッキングコイル２５１ａ、２５１ｂで生じるトラッキング方向の駆動力２７０による可動部の重心６０回りのモーメント２７１ａに対して、トラッキングコイル中間線２５２ｂで生じる対物レンズ１の光軸方向の力２８０ａ、２８０ｂによる可動部の重心６０回りのモーメント２８１ａが打ち消す方向に作用する。
【００８０】
本実施例によれば、実施例４と同様に、マグネット２２１ａ〜２２１ｄの寸法が小さくなるので、マグネット２２１ａ〜２２１ｄのコストを低減できるという効果がある。
【００８１】
なお、本実施例では、図１４に示されるようにヨーク１２の両端部は、トラッキングコイル２５１ａの巻回中心及びトラッキングコイル２５１ｂの巻回中心に位置している。図１２と比較して明らかなようにヨーク１２のトラッキング方向に平行な長さ寸法は小さくなっている。ここで、マグネットとヨークから構成される磁気回路及び対物レンズの可動部の総重量に対するヨークの重量は３０％を占めている。従って、本実施例によれば、実施例４による可動部及び磁気回路の総重量の低減効果に加え、ヨークの重量低減分だけ更に総重量を低減することができる。
【００８２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の実施例の構成の追加・削除・置換をすることが可能である。
【符号の説明】
【００８３】
１  対物レンズ
２  レンズホルダ
３  第一のフォーカシングコイル
４  第二のフォーカシングコイル
６  支持部材
７  固定部
９ａ〜９ｆ  支持部材固定部
１１ａ〜１１ｄ  マグネット
１２  ヨーク
２０ａ〜２０ｆ  絡げ端子
５０  対物レンズ駆動部
５１ａ、５１ｂ  トラッキングコイル
５１ａ〜５１ｄ  トラッキングコイル中間線
６０  可動部の重心
７０  トラッキングコイルで生じる駆動力
８０ａ〜８０ｄ  トラッキングコイル中間線で生じる力
７１ａ、７１ｂ  トラッキングコイルで生じる駆動力による可動部の重心回りのモーメント
８１ａ、８１ｂ  トラッキングコイル中間線で生じる力による可動部の重心回りのモーメント
１１０  光ピックアップ
１１１  レーザ発光素子
１１２  光検出器
【図１】
2015060603.tif 000003
【図２】
2015060603.tif 000004
【図３】
2015060603.tif 000005
【図４】
2015060603.tif 000006
【図５】
2015060603.tif 000007
【図６】
2015060603.tif 000008
【図７】
2015060603.tif 000009
【図８】
2015060603.tif 000010
【図９】
2015060603.tif 000011
【図１０】
2015060603.tif 000012
【図１１】
2015060603.tif 000013
【図１２】
2015060603.tif 000014
【図１３】
2015060603.tif 000015
【図１４】
2015060603.tif 000016